(57)【要約】【課題】素子チップの製造方法において、アッシング不良を防止し、素子チップの生産性を向上させる。【解決手段】半導体チップ２の製造方法は、半導体ウエハ１２を準備し、素子領域１４を被覆するように、かつ、分割領域１６を露出させるように、マスク２４を半導体ウエハ１２の表面６Ａに形成し、半導体ウエハ１２の裏面４Ａをダイシングテープ２２で保持した状態で、表面６Ａをプラズマに晒して、素子領域１４をマスク２４によってプラズマから保護しながら、マスク２４から露出する分割領域１６を裏面４Ａに達するまでエッチングすることにより、半導体ウエハ１２を複数の矩形の半導体チップ２に個片化し、表面６Ａの側に粘着テープ３０を貼り付けてから、粘着テープ３０を半導体チップ２の短辺方向および長辺方向からずれた方向に引っ張りながら剥がすことにより、表面６Ａからマスク２４を粘着テープ３０とともに除去することを含む。【選択図】図１Ｊ
2018133496.tif 000002
【特許請求の範囲】
【請求項１】
段差を備える第１の面と、前記第１の面の反対側の第２の面と、前記段差が形成された複数の素子領域と、前記素子領域を画定する分割領域とを備える基板を準備し、
前記素子領域を被覆するように、かつ、前記分割領域を露出させるように、マスクを前記基板の前記第１の面に形成し、
前記基板の前記第２の面を保持部材で保持した状態で、前記基板の前記第１の面をプラズマに晒して、前記素子領域を前記マスクによって前記プラズマから保護しながら、前記マスクから露出する前記分割領域を前記第２の面に達するまでエッチングすることにより、前記基板を複数の矩形の素子チップに個片化し、
個片化された前記基板の前記第１の面の側に粘着テープを貼り付けてから、前記粘着テープを前記素子チップの短辺方向および長辺方向からずれた方向に引っ張りながら剥がすことにより、個片化された前記基板の表面から前記基板の表面に残存する前記マスクを前記粘着テープとともに除去する
ことを含む、素子チップの製造方法。
【請求項２】
前記粘着テープが前記素子チップの対角方向に引っ張りながら剥がされる、請求項１に記載の素子チップの製造方法。
【請求項３】
前記マスクの形成が、シート状マスクの貼り付けにより行われ、前記段差の周囲と前記シート状マスクとの間に空隙が設けられる、請求項１または２に記載の素子チップの製造方法。
【請求項４】
前記マスクの除去が、前記保持部材をステージに載置し、かつ、前記保持部材を前記ステージに真空吸着させた状態で行われる、請求項１から３のいずれか１項に記載の素子チップの製造方法。
【請求項５】
前記マスクの除去が、前記保持部材をステージに載置し、かつ、前記保持部材を前記ステージに静電吸着させた状態で行われる、請求項１から３のいずれか１項に記載の素子チップの製造方法。
【請求項６】
前記粘着テープを貼り付けた後、かつ、前記粘着テープを剥がす前に、前記粘着テープに熱を加えることにより前記粘着テープと前記マスクとの接着力を増強する、請求項１から５のいずれか１項に記載の素子チップの製造方法。
【請求項７】
前記粘着テープを貼り付けた後、かつ、前記粘着テープを剥がす前に、前記粘着テープにＵＶ光を照射することにより前記粘着テープと前記マスクとの接着力を増強する、請求項１から５のいずれか１項に記載の素子チップの製造方法。
【発明の詳細な説明】
【技術分野】
【０００１】
本発明は、素子チップの製造方法に関する。
【背景技術】
【０００２】
素子チップの製造には、プラズマエッチングが使用されることがある。プラズマエッチングの用途は広く、例えば、基板を個片化するためのプラズマダイシングと称される方法がその一つとして知られている。プラズマダイシングでは、分割領域で画定される複数の素子領域を備える基板に対し、基板の一方の面から他方の面に達するまで分割領域をプラズマエッチングし、基板を各素子チップへと個片化する。このようなプラズマダイシングでは、分割領域のみがプラズマエッチングされ、素子領域はプラズマエッチングから保護される必要がある。そのため、一般に、プラズマエッチング前に耐プラズマ性を有するマスクを素子領域の表面に形成する。このとき基板の表面に形成されたマスクは、プラズマダイシング後にアッシング等によって除去される。このようなプラズマダイシングからアッシングまでの一連の流れによって素子チップを製造する方法が、例えば特許文献１に開示されている。
【先行技術文献】
【特許文献】
【０００３】
【特許文献１】特開２０１２−２４８７４１号公報
【発明の概要】
【発明が解決しようとする課題】
【０００４】
プラズマダイシング後のアッシングは、素子チップがダイシングテープのような耐熱性の比較的乏しい保持部材に貼り付けられた状態で行われるため、アッシング中の温度は保持部材が劣化しない程度の温度に維持される必要があり、マスクの温度が低下し易い。マスクの温度が低下し、アッシングの反応性を十分に確保できない場合、マスクに対してアッシングを行ってもアッシング残渣が生じるおそれがある。即ち、特許文献１に開示されているようなアッシングでは、マスクを十分に除去できないおそれがある。また、例えばＣＭＯＳ（Complementary Metal Oxide Semiconductor）イメージセンサなどのように、ＵＶ（紫外線）光によるダメージに弱い素子チップには、アッシングを使用できないこともある。従って、プラズマエッチングなどの素子チップの製造過程におけるマスクの除去において、アッシングは完全でなく、改善の余地がある。
【０００５】
本発明は、素子チップの製造方法において、アッシング不良を防止し、素子チップの生産性を向上させることを課題とする。
【課題を解決するための手段】
【０００６】
本発明の素子チップの製造方法は、段差を備える第１の面と、前記第１の面の反対側の第２の面と、前記段差が形成された複数の素子領域と、前記素子領域を画定する分割領域とを備える基板を準備し、前記素子領域を被覆するように、かつ、前記分割領域を露出させるように、マスクを前記基板の前記第１の面に形成し、前記基板の前記第２の面を保持部材で保持した状態で、前記基板の前記第１の面をプラズマに晒して、前記素子領域を前記マスクによって前記プラズマから保護しながら、前記マスクから露出する前記分割領域を前記第２の面に達するまでエッチングすることにより、前記基板を複数の矩形の素子チップに個片化し、個片化された前記基板の前記第１の面の側に粘着テープを貼り付けてから、前記粘着テープを前記素子チップの短辺方向および長辺方向からずれた方向に引っ張りながら剥がすことにより、個片化された前記基板の表面から前記基板の表面に残存する前記マスクを前記粘着テープとともに除去することを含む。
【０００７】
この方法によれば、表面に段差を備える素子チップからマスクを除去する際、アッシングを行うことなく粘着テープを使用している。粘着テープを使用することでマスクを物理的に除去できるので、アッシングに比べてマスクを除去し易い。さらに、マスク表面に残渣物が存在してもマスクとともに物理的に除去される。また、この方法では、粘着テープの剥離方向を、素子チップの短辺方向および長辺方向からずれた方向に規定している。このように剥離方向を規定しているため、素子チップの角部からマスクを粘着テープとともに剥離できる。即ち、マスクを辺から剥離するのではなく点から剥離できるので、剥離初期に素子チップにかかる負荷を低減できる。従って、マスクをきれいに剥離し易くなり、素子チップが割れ難くなり、素子チップが保持部材から剥がれ難くなるため、生産性を向上できる。ここで使用する「矩形」という用語は、完全な矩形だけでなく、角部に丸みを有するものなど、実質的に矩形であるものを含む。
【０００８】
前記粘着テープが前記素子チップの対角方向に引っ張りながら剥がされてもよい。
【０００９】
この方法によれば、粘着テープを剥がす方向を素子チップの対角方向に規定している。素子チップの対角方向は、マスクの剥離にかかる動線を最も長く確保できるラインである。そのため、マスクの剥離の際に生じる負荷を分散でき、素子チップにかかる局所的な負荷を低減できる。従って、素子チップが割れ難くなり、素子チップが保持部材から剥がれ難くなる。
【００１０】
前記マスクの形成が、シート状マスクの貼り付けにより行われ、前記段差の周囲と前記シート状マスクとの間に空隙が設けられてもよい。
【００１１】
この方法によれば、上記空隙を設けたことでマスクと基板との接触面積を減少させることができるため、マスクを基板から剥離し易くなる。
【００１２】
前記マスクの除去が、前記保持部材をステージに載置し、かつ、前記保持部材を前記ステージに真空吸着させた状態で行われてもよい。または、前記マスクの除去が、前記保持部材をステージに載置し、かつ、前記保持部材を前記ステージに静電吸着させた状態で行われてもよい。
【００１３】
これらの方法によれば、マスクを剥離する際に保持部材がステージから離れることを防止できるため、基板からマスクを安定して剥離できる。
【００１４】
前記粘着テープを貼り付けた後、かつ、前記粘着テープを剥がす前に、前記粘着テープに熱を加えることにより前記粘着テープと前記マスクとの接着力を増強してもよい。または、前記粘着テープを貼り付けた後、かつ、前記粘着テープを剥がす前に、前記粘着テープにＵＶ光を照射することにより前記粘着テープと前記マスクとの接着力を増強してもよい。
【００１５】
これらの方法によれば、粘着テープとマスクとの接着力を増強できるため、粘着テープを剥がす際にマスクが残存することを防止でき、即ち、マスクを粘着テープとともに基板から剥離し易くできる。
【発明の効果】
【００１６】
本発明によれば、素子チップの製造方法において、アッシングを行うことなく粘着テープによって物理的にマスクを除去し、さらに素子チップの角部からマスクを剥離できるように粘着テープの剥離方向を規定しているため、アッシング不良を防止し、素子チップの生産性を向上できる。
【図面の簡単な説明】
【００１７】
【図１Ａ】実施形態に係る素子チップの製造方法の第１準備工程を示す断面図。
【図１Ｂ】実施形態に係る素子チップの製造方法の第２準備工程を示す断面図。
【図１Ｃ】実施形態に係る素子チップの製造方法の保護工程を示す断面図。
【図１Ｄ】実施形態に係る素子チップの製造方法の薄化工程を示す断面図。
【図１Ｅ】実施形態に係る素子チップの製造方法の第１保持工程を示す断面図。
【図１Ｆ】実施形態に係る素子チップの製造方法の第２保持工程を示す断面図。
【図１Ｇ】実施形態に係る素子チップの製造方法の第１マスク形成工程を示す断面図。
【図１Ｈ】実施形態に係る素子チップの製造方法の第２マスク形成工程を示す断面図。
【図１Ｉ】実施形態に係る素子チップの製造方法の個片化工程を示す断面図。
【図１Ｊ】実施形態に係る素子チップの製造方法のマスク除去工程を示す断面図。
【図１Ｋ】実施形態に係る素子チップの製造方法によって製造された素子チップの断面図。
【図２】プラズマエッチング装置の模式図。
【図３】マスク除去装置の概略構成図。
【図４Ａ】マスク除去工程のエキスパンド加工を示す第１の断面図。
【図４Ｂ】マスク除去工程のエキスパンド加工を示す第２の断面図。
【図５Ａ】マスク除去工程の粘着テープの貼付処理を示す断面図。
【図５Ｂ】マスク除去工程の粘着テープの剥離処理を示す断面図。
【図６】マスクの剥離方向を示すための素子チップの平面図。
【発明を実施するための形態】
【００１８】
以下、添付図面を参照して本発明の実施形態を説明する。
【００１９】
図１Ａから図１Ｋは本発明の実施形態に係る半導体チップ（素子チップ）２の製造工程を示している。完成図である図１Ｋを参照すると、製造された半導体チップ２は、半導体層４と、半導体層４上に形成された配線層６と、配線層６上に形成された保護膜８および電極としてのバンプ１０とを備える。半導体層４は、例えばＳｉまたはＳｉ系材料からなり、配線層６は例えばＳｉＯ２などの絶縁膜とＣｕなどの金属からなる。配線層６の絶縁膜の材質は、ＳｉＮ、ＳｉＯＣ、またはＬｏｗ−ｋ材料等であり得る。また、配線層６の金属の材質は、Ａｌ、Ａｌ合金、またはＷ等であり得る。また、バンプ１０に含まれる金属は、銅、銅と錫と銀との合金、銀と錫との合金、鉛と錫との合金、金、アルミニウム、アルミニウム合金等であり得る。バンプ１０の形状は、特に限定されず、角柱、円柱、山型、ボール等であってもよい。バンプ１０の配置および個数は特に限定されず、目的に応じて適宜設定される。ここで、電極としてのバンプ１０は本発明の段差の一例である。本発明の段差は、本実施形態の凸型のバンプ１０以外にも、凹型のパッド電極でもあり得る。
【００２０】
図１Ａに示す第１準備工程では、半導体ウエハ（基板）１２を準備する。図１Ａに示すように、半導体ウエハ１２は、半導体層４と、半導体層４上に形成された配線層６とを備える。
【００２１】
図１Ｂに示す第２準備工程では、半導体ウエハ１２の配線層６の表面（第１の面）６Ａに、保護膜８およびバンプ１０を形成する。本工程を経た半導体ウエハ１２は、バンプ１０が形成された複数の素子領域１４と、個々の素子領域１４の周囲に隣接する分割領域１６を備える。換言すれば、分割領域１６によって個々の素子領域１４が画定されている。
【００２２】
図１Ｃに示す保護工程では、半導体ウエハ１２の表面６Ａに、裏面４Ａの研削時の保護のためのＢＧ（バックグラインド）テープ２０を貼り付ける。ＢＧテープ２０は、粘着層２０Ａと、樹脂製の基材層２０Ｂとからなる保護フィルムである。即ち、粘着層２０Ａを半導体ウエハ１２の表面６Ａに貼り付け、基材層２０Ｂにより半導体ウエハ１２の表面６Ａを保護する。ＢＧテープ２０は、半導体ウエハ１２に貼り付けられた後に、または、貼り付けられる前に、半導体ウエハ１２の外形形状に合わせて切断されるため、半導体ウエハ１２のハンドリング性は損なわれない。
【００２３】
図１Ｄに示す薄化工程では、図示しない研削装置により半導体ウエハ１２の裏面（第２の面）４Ａ側から半導体層４を研削する。半導体ウエハ１２は、半導体層４の研削により所定の厚みに薄化される。
【００２４】
図１Ｅに示す第１保持工程では、ダイシングテープ（保持部材）２２を半導体ウエハ１２の裏面４Ａに貼り付ける。ダイシングテープ２２は、粘着層２２Ａと、樹脂製の基材層２２Ｂとからなる保持フィルムである。粘着層２２Ａが半導体ウエハ１２の裏面４Ａに貼り付けられ、基材層２２Ｂにより半導体ウエハ１２が保持されている。また、ダイシングテープ２２には、ハンドリング性の観点からフレーム２２Ｃが取り付けられている。
【００２５】
図１Ｆに示す第２保持工程では、半導体ウエハ１２からＢＧテープ２０を剥離し、除去する。ＢＧテープ２０が除去された状態では、半導体ウエハ１２の表面６Ａでバンプ１０が露出している。
【００２６】
図１Ｇに示す第１マスク形成工程では、半導体ウエハ１２の表面６Ａにシート状のマスク２４を貼り付ける。シート状のマスク２４は、耐プラズマ性を有している。そのため、半導体ウエハ１２のうち、マスク２４が貼り付けられた部分は、後のプラズマエッチングから保護される。図１Ｇ中で部分的に拡大して示されているように、マスク２４が貼り付けられた状態では、バンプ１０の周囲とマスク２４との間には空隙Ｓが設けられている。この空隙Ｓを設けることでマスク２４を後に剥離し易くなるため、マスク２４の形成方法は本実施形態のようにシート状のマスク２４を貼り付ける方法が好ましい。しかし、マスク２４を形成する方法は、このようにシート状のマスク２４を貼り付ける方法に限定されず、スピンコート法、またはスプレーコート法等の任意の方法であってもよい。
【００２７】
図１Ｈに示す第２マスク形成工程では、分割領域１６（図１Ｇ参照）に対応する部分において、マスク２４と半導体ウエハ１２とをレーザスクライビングやメカニカルダイシング等により切削し、露出部１８を形成する。詳細には、露出部１８は、配線層６、保護膜８、およびマスク２４を切削することで形成され、このとき半導体層４は一部切削されてもよいし、切削されなくてもよいが、完全には切削されない。従って、半導体ウエハ１２を表面６Ａ側から見ると、露出部１８では半導体層４が露出している。代替的には、マスク２４に対する露光および現像処理を行って、マスク２４の分割領域１６に対応する部分に開口を形成し、その後、保護膜８および配線層６のエッチングを行って、露出部１８を形成するようにしてもよい。
【００２８】
図１Ｉに示す個片化工程では、半導体ウエハ１２の裏面４Ａをダイシングテープ２２で保持した状態で、半導体ウエハ１２をプラズマエッチング（プラズマダイシング）により個片化する。さらに、図２は、本工程で使用されるドライエッチング装置（プラズマエッチング装置）５０の一例を示している。ドライエッチング装置５０のチャンバ５２の頂部には誘電体窓が設けられており、誘電体窓の上方には上部電極としてのアンテナ５４が配置されている。アンテナ５４は、第１高周波電源部５６に電気的に接続されている。一方、チャンバ５２内の処理室５８の底部側には、半導体ウエハ１２が配置されるステージ６０が配置されている。ステージ６０は下部電極としても機能し、第２高周波電源部６２に電気的に接続されている。また、ステージ６０は図示しない静電吸着用電極（ＥＳＣ電極）を備え、ステージ６０に載置されたダイシングテープ２２（即ち半導体ウエハ１２）をステージ６０に静電吸着できるようになっている。これに代えて、真空吸着機構を採用し、ステージ６０に載置されたダイシングテープ２２（即ち半導体ウエハ１２）をステージ６０に真空吸着してもよい。また、ステージ６０には冷却用ガスを供給するための図示しない冷却用ガス孔が設けられており、冷却用ガス孔からヘリウムなどの冷却用ガスを供給することでステージ６０に静電吸着された半導体ウエハ１２を冷却できる。チャンバ５２のガス導入口６４はエッチングガス源６６に流体的に接続されており、排気口６８はチャンバ５２内を真空排気するための真空ポンプを含む真空排気部７０に接続されている。
【００２９】
この個片化工程では、ダイシングテープ２２を介して半導体ウエハ１２をステージ６０に載置し、処理室５８内を真空排気部７０によって真空排気するとともにエッチングガス源６６から処理室５８内に例えばＳＦ６であるエッチングガスを供給する。そして、処理室５８内を所定圧力に維持し、アンテナ５４に対して第１高周波電源部５６から高周波電力を供給し、処理室５８内にプラズマを発生させて半導体ウエハ１２に照射する。このとき、プラズマ中のラジカルとイオンの物理化学的作用により露出部１８で露出している半導体ウエハ１２の半導体層４が除去される。この個片化工程を経て、半導体ウエハ１２は、矩形の個々の半導体チップ２に形成される（図４参照）。ここで使用する「矩形」という用語は、完全な矩形だけでなく、角部に丸みを有するものなど、実質的に矩形であるものを含む。
【００３０】
図１Ｊに示すマスク除去工程では、半導体チップ２の表面６Ａに粘着テープ３０を貼り付け、粘着テープ３０をマスク２４とともに剥がし取ることでマスク２４を除去する。マスク２４を剥離するために使用する粘着テープ３０は、２層構造を有する。即ち、粘着テープ３０は、粘着層３０Ａおよび樹脂製の基材層３０Ｂを有する。本実施形態の粘着層３０Ａは、ＵＶ硬化性樹脂からなる。本工程では、粘着テープ３０を貼り付けた後、かつ、粘着テープ３０を剥がす前に、ＵＶ光を照射することで、粘着層３０Ａを硬化させ、粘着層３０Ａとマスク２４との接着力を増強している。これに代えて、粘着層３０Ａは、熱硬化性樹脂からなってもよい。この場合も、粘着テープ３０を貼り付けた後、かつ、粘着テープ３０を剥がす前に、熱処理をすることで、粘着層３０Ａを硬化させ、粘着層３０Ａとマスク２４との接着力を増強できる。
【００３１】
このようにして、図１Ａ〜１Ｊの各工程を経て、図１Ｋに示すように、半導体チップ２が製造される。
【００３２】
ここで、図３から図６を参照して、マスク除去工程を詳細に説明する。なお、これらの図は、説明を明瞭にするため、模式的に示されている。従って、前述のマスク除去工程を示す図１Ｊと対応していない部分があり得る。
【００３３】
図３に示すように、本実施形態のマスク除去工程で使用されるマスク除去装置１００は、エキスパンド部１１０と、粘着テープ着脱部１２０と、第１カセット載置部１４０と、第２カセット載置部１５０と、これらの間で半導体ウエハ１２を搬送する搬送機構１６０とを備える。
【００３４】
第１カセット載置部１４０には、マスク除去工程の処理がなされる前の半導体ウエハ１２が載置されている。この半導体ウエハ１２は、第１カセット載置部１４０からエキスパンド部１１０に搬送機構１６０によって搬送される。
【００３５】
エキスパンド部１１０は、半導体チップ２同士の間隔を広げる部分である。図４Ａに示すように、個片化工程（図１Ｉ参照）後の半導体ウエハ１２では、各半導体チップ２の間隔が狭く、例えばその間隔は２０μｍ程度である。この間隔が狭いと、図１Ｊに示すように、各半導体チップ２（即ちマスク２４）の外縁２Ａに正確に粘着テープ３０を貼り付けることができないおそれがある。そこで、本実施形態では図４Ｂに示すように、半導体チップ２同士の間隔を広げている。
【００３６】
図４Ｂに示すように、本実施形態では、粘着テープ３０を貼り付ける前に半導体チップ２同士の間隔を広げるようにダイシングテープ２２を外側へ向けて引っ張るエキスパンド加工を行う。エキスパンド加工を行うエキスパンド部１１０には、押圧部材１１２と、リング部材１１４と、昇降機１１６と、載置台１１８とが設けられている。押圧部材１１２は、ダイシングテープ２２のフレーム２２Ｃに沿って配置され、フレーム２２Ｃを固定する。リング部材１１４は、リング状の部材であって、ダイシングテープ２２の下方にフレーム２２Ｃと同心に配置され、ダイシングテープ２２をフレーム２２Ｃに対して昇降させる。昇降機１１６は、リング部材１１４を昇降させる。エキスパンド部１１０における加工では、載置台１１８に半導体ウエハ１２を載置し、押圧部材１１２によってダイシングテープ２２のフレーム２２Ｃを押圧して固定した状態で、昇降機１１６によって載置台１１８からダイシングテープ２２を浮かせるようにリング部材１１４を上昇させる。このとき、ダイシングテープ２２が引き伸ばされるため、半導体チップ２同士の間隔が広がり、例えばその間隔は５０μｍ程度となる。
【００３７】
図３に示すように、上記エキスパンド加工後、半導体ウエハ１２は、エキスパンド加工された状態で、エキスパンド部１１０から粘着テープ着脱部１２０に搬送機構１６０によって搬送される。粘着テープ着脱部１２０では、図５Ａに示すように粘着テープ３０をマスク２４に貼り付け、図５Ｂに示すように粘着テープ３０をマスク２４とともに剥離する。
【００３８】
図５Ａに示すように、粘着テープ着脱部１２０には、供給ローラ１２２と、回収ローラ１２４と、押圧ローラ１２６と、二つの引張具１２８と、載置台１３０とが設けられている。半導体ウエハ１２は、載置台１３０の上に載置されている。供給ローラ１２２には未使用の粘着テープ３０が巻き付けられており、供給ローラ１２２の位置は固定されている。回収ローラ１２４は、供給ローラ１２２と粘着テープ３０を共有している。即ち、回収ローラ１２４は、供給ローラ１２２から供給され、マスク２４の剥離に使用した後の粘着テープ３０を巻き取ることで回収する。回収ローラ１２４は、供給ローラ１２２と同程度の高さに配置されており、水平方向に可動である（図５Ｂの矢印参照）。二つの引張具１２８は、供給ローラ１２２および回収ローラ１２４の下方にそれぞれ配置されている。二つの引張具１２８は、一方が固定されており、他方が水平方向に可動である。粘着テープ３０は、二つの引張具１２８によって引っ張られることで、載置台１３０に載置された半導体ウエハ１２に形成されたマスク２４の僅かに上方に位置している。押圧ローラ１１６は、可動であって（図５Ａ中の矢印参照）、粘着テープ３０をマスク２４が形成された半導体チップ２に向けて半導体チップ２が損傷しない程度の力で押圧し、粘着テープ３０をマスク２４に貼り付ける。
【００３９】
図５Ｂに示すように、粘着テープ３０を剥がすときは、回収ローラ１２４および他方の引張具１２８を供給ローラ１２２および一方の引張具１２８に向けて移動させる。このとき、回収ローラ１２４は、マスク２４の除去に使用された粘着テープ３０を巻き取ることで回収する。このようにして、粘着テープ３０を剥がすとともに各半導体チップ２からマスク２４を剥離する。
【００４０】
図３に示すように、マスク２４が剥離された半導体ウエハ１２は、粘着テープ着脱部１２０から第２カセット載置部１５０に搬送機構１６０によって搬送される。従って、第２カセット載置部１５０には、マスク除去工程の処理がなされた後の半導体ウエハ１２が載置される。
【００４１】
図６に示すように、本実施形態では、粘着テープ３０を剥がす方向を規定している。具体的には、矩形の半導体チップ２の短辺方向Ａ１および長辺方向Ａ２からずれた方向に引っ張りながら剥がす。このとき、短辺方向Ａ１および長辺方向Ａ２からずれた方向は、素子チップの対角方向Ａ３であることが好ましい。
【００４２】
本実施形態によれば、図１Ｊに示すように、表面６Ａにバンプ１０を備える半導体チップ２からマスク２４を除去する際、アッシングを行うことなく粘着テープ３０を使用している。粘着テープ３０を使用することでマスク２４を物理的に除去できるので、アッシングに比べてマスク２４を除去し易い。さらに、マスク２４の表面に残渣物が存在してもマスク２４とともに物理的に除去される。また、図４に示すように、この方法では、粘着テープ３０の剥離方向を、半導体チップ２の短辺方向Ａ１および長辺方向Ａ２からずれた方向に規定している。このように剥離方向を規定しているため、半導体チップ２の角部からマスク２４を粘着テープ３０とともに剥離できる。即ち、マスク２４を辺から剥離するのではなく点から剥離できるので、剥離初期に半導体チップ２にかかる負荷を低減できる。従って、マスク２４をきれいに剥離し易くなり、半導体チップ２が割れ難くなり、半導体チップ２がダイシングテープ２２から剥がれ難くなるため、生産性を向上できる。さらに言えば、マスク２４の除去残りがある場合も、表面６Ａのマスク２４は概ね除去されるため、残る箇所は概ねパターン側面のラビットイヤー状の僅かな残渣程度である。そのため、例えば、弱いウェット洗浄などで除去が可能である。
【００４３】
また、本実施形態によれば、粘着テープ３０を剥がす方向を半導体チップ２の対角方向Ａ３に規定している。半導体チップ２の対角方向Ａ３は、マスク２４の剥離にかかる動線を最も長く確保できるラインである。そのため、マスク２４の剥離の際に生じる負荷を分散でき、半導体チップ２にかかる局所的な負荷を低減できる。従って、半導体チップ２が割れ難くなり、半導体チップ２がダイシングテープ２２から剥がれ難くなる。
【００４４】
また、本実施形態によれば、図１Ｇに示すように、空隙Ｓを設けたことでマスク２４と半導体ウエハ１２との接触面積を減少させることができるため、マスク２４を半導体ウエハ１２から剥離し易くなる。
【００４５】
また、本実施形態によれば、図２に示すように、マスク２４を剥離する際に、静電吸着によってダイシングテープ２２（即ち、半導体ウエハ１２）をステージ６０に吸着させているため、ダイシングテープ２２がステージ６０から離れることを防止でき、基板からマスクを安定して剥離できる。この効果は、真空吸着による場合でも同様である。
【００４６】
また、本実施形態によれば、図１Ｊに示すように、粘着テープ３０の粘着層３０ＡがＵＶ硬化性を有するため、ＵＶ照射によって粘着テープ３０とマスク２４との接着力を増強できる。これにより、粘着テープ３０を剥がす際にマスク２４が残存することを防止でき、即ち、マスク２４を粘着テープ３０とともに半導体ウエハ１２から剥離し易くできる。この効果は、粘着テープ３０の粘着層３０Ａが熱硬化性を有する場合に熱処理を行っても同様である。
【符号の説明】
【００４７】
２  半導体チップ（素子チップ）
２Ａ  外縁
４  半導体層
４Ａ  裏面（第２の面）
６  配線層
６Ａ  表面（第１の面）
８  保護膜
１０  バンプ（段差）
１２  半導体ウエハ（基板）
１４  素子領域
１６  分割領域
１８  露出部
２０  ＢＧテープ
２０Ａ  粘着層
２０Ｂ  基材層
２２  ダイシングテープ（保持部材）
２２Ａ  粘着層
２２Ｂ  基材層
２２Ｃ  フレーム
２４  マスク
３０  粘着テープ
３０Ａ  粘着層
３０Ｂ  基材層
５０  ドライエッチング装置
５２  チャンバ
５４  アンテナ
５６  第１高周波電源部
５８  処理室
６０  ステージ
６２  第２高周波電源部
６４  ガス導入口
６６  エッチングガス源
６８  排気口
７０  真空排気部
１００  マスク除去装置
１１０  エキスパンド装置
１１２  押圧部材
１１４  リング部材
１１６  昇降機
１１８  載置台
１２０  粘着テープ着脱装置
１２２  供給ローラ
１２４  回収ローラ
１２６  押圧ローラ
１２８  引張具
１３０  載置台
１４０  第１カセット載置部
１５０  第２カセット載置部
１６０  搬送機構
【図１Ａ】
2018133496.tif 000003
【図１Ｂ】
2018133496.tif 000004
【図１Ｃ】
2018133496.tif 000005
【図１Ｄ】
2018133496.tif 000006
【図１Ｅ】
2018133496.tif 000007
【図１Ｆ】
2018133496.tif 000008
【図１Ｇ】
2018133496.tif 000009
【図１Ｈ】
2018133496.tif 000010
【図１Ｉ】
2018133496.tif 000011
【図１Ｊ】
2018133496.tif 000012
【図１Ｋ】
2018133496.tif 000013
【図２】
2018133496.tif 000014
【図３】
2018133496.tif 000015
【図４Ａ】
2018133496.tif 000016
【図４Ｂ】
2018133496.tif 000017
【図５Ａ】
2018133496.tif 000018
【図５Ｂ】
2018133496.tif 000019
【図６】
2018133496.tif 000020